(57)【要約】【課題】リングを直接操作することなく操作部の操作によってリングを開閉できると共に、構成を簡略化して軽量且つ安価に製造できるリング式とじ具及びこれを用いたファイルの提供を課題とする。【解決手段】ベース２０と、一対の回動板２１，２１と、リング２４と、リング２４を開閉する操作部２５とを備えている。操作部２５は、ベース２０上に設けられたシーソー状の揺動レバー３０と、この揺動レバー３０の基部３０ａから一対の回動板２１，２１における対向部の裏面側に延びる略Ｌ字状の作用部３１とを有している。揺動レバー３０の先端部３０ｂを押し下げることにより、作用部３１によって一対の回動板２１，２１における対向部がリング２４側に押し上げられて、一対の回動板２１，２１がリング２４側に突出する山形となり、リング２４が開かれることを特徴とする。【選択図】図２
2008093979.tif 000002
【特許請求の範囲】
【請求項１】
扁平状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、を備え、
前記操作部は、前記ベース上に設けられたシーソー状の揺動レバーと、前記揺動レバーの基部から前記一対の回動板における対向部の裏面側に延びる略Ｌ字状の作用部とを有し、
前記揺動レバーの先端部を押し下げることにより、前記作用部によって前記一対の回動板における前記対向部が前記リング側に押し上げられ、前記一対の回動板が前記リング側に突出する山形状に形成されて、前記リングが開かれることを特徴とするリング式とじ具。
【請求項２】
平板状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、
前記一対の回動板を前記リング側に付勢する第１のバネと、を備え、
前記操作部は、前記一対の回動板に係止され、且つ前記一対の回動板における対向部に沿ってスライド自在なスライドレバーと、前記スライドレバーを所定の方向に付勢する第２のバネと、前記第２のバネの付勢方向における前記スライドレバーのスライド限界位置で、前記スライドレバーが前記ベースに対して離間する方向へ移動するのを規制すると共に、前記スライドレバーのスライドを規制するストッパと、を備え、
前記スライドレバーを前記第２のバネの付勢方向と反対方向にスライドさせることにより、前記一対の回動板が前記第１のバネによって前記ベースから離間する方向に付勢されて、前記一対の回動板が前記リング側に突出する山形状に形成されて前記リングが開かれ、
前記スライドレバーを前記ベース側に押圧して、前記第２のバネにおける付勢方向の反対方向にスライドさせることにより、前記一対の回動板が平坦状に形成されると共に、前記スライドレバーが前記ストッパに係止されて、前記リングが閉じられることを特徴とするリング式とじ具。
【請求項３】
前記第１のバネと前記第２のバネが一体的に形成されていることを特徴とする請求項２に記載のリング式とじ具。
【請求項４】
リング式とじ具を用いたファイルであって、
前記リング式とじ具は、
扁平状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、を備え、
前記操作部は、前記ベース上に設けられたシーソー状の揺動レバーと、前記揺動レバーの基部から前記一対の回動板における対向部の裏面側に延びる略Ｌ字状の作用部とを有し、
前記揺動レバーの先端部を押し下げることにより、前記作用部によって前記一対の回動板における前記対向部が前記リング側に押し上げられ、前記一対の回動板が前記リング側に突出する山形状に形成されて、前記リングが開かれることを特徴とするリング式とじ具を用いたファイル。
【請求項５】
リング式とじ具を用いたファイルであって、
前記リング式とじ具は、
平板状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、
前記一対の回動板を前記リング側に付勢する第１のバネと、を備え、
前記操作部は、前記一対の回動板に係止され、且つ前記一対の回動板における対向部に沿ってスライド自在なスライドレバーと、前記スライドレバーを所定の方向に付勢する第２のバネと、前記第２のバネの付勢方向における前記スライドレバーのスライド限界位置で、前記スライドレバーが前記ベースに対して離間する方向へ移動するのを規制すると共に、前記スライドレバーのスライドを規制するストッパと、を備え、
前記スライドレバーを前記第２のバネの付勢方向と反対方向にスライドさせることにより、前記一対の回動板が前記第１のバネによって前記ベースから離間する方向に付勢されて、前記一対の回動板が前記リング側に突出する山形状に形成されて前記リングが開かれ、
前記スライドレバーを前記ベース側に押圧して、前記第２のバネにおける付勢方向の反対方向にスライドさせることにより、前記一対の回動板が平坦状に形成されると共に、前記スライドレバーが前記ストッパに係止されて、前記リングが閉じられることを特徴とするリング式とじ具を用いたファイル。
【発明の詳細な説明】
【技術分野】
【０００１】
本発明は、リング式とじ具及びこれを用いたファイルに関する。
【背景技術】
【０００２】
従来、各種のリング式とじ具が提案されている。これらのリング式とじ具は、基本的にリングを直接操作してリングを開閉する第１のタイプ（例えば、特許文献１〜３参照。）と、リング式とじ具の中央部に設けられた操作部を操作することによりリングを開閉する第２のタイプ（例えば、特許文献４〜６参照。）と、とじ具本体を延長して延長部を形成し、この延長部の端にてこを設け、てこを操作することによりリングを開閉する第３のタイプ（例えば、特許文献７参照。）とがある。
【特許文献１】特開２００４−３２２６３１号公報
【特許文献２】特開２００５−４０９５２号公報
【特許文献３】特許第２８１４９５７号公報
【特許文献４】実開平４−４０９８４号公報
【特許文献５】実開平５−３５３６９号公報
【特許文献６】特開平８−２１６４号公報
【特許文献７】実公昭６１−１６１４６号公報
【発明の開示】
【発明が解決しようとする課題】
【０００３】
しかしながら、従来の第１のタイプのリング式とじ具は、リングを直接操作してリングを開閉するため、リングに綴じられている書類などが多い場合には、リングの操作が困難になるという問題があった。
【０００４】
また、第２のタイプのリング式とじ具は、リングに綴じられている書類などが操作部の操作をするときに邪魔になり、操作部の操作が困難になるおそれがあった。
【０００５】
更に、第３のタイプのリング式とじ具は、とじ具本体を延長するため、重量増及びコスト高になるという問題があった。
【０００６】
本発明は、このような問題に鑑みなされたもので、リングを直接操作することなくリングを開閉できると共に、構成を簡略化して軽量且つ安価に製造できるリング式とじ具及びこれを用いたファイルの提供を課題とする。
【課題を解決するための手段】
【０００７】
本発明は、前記課題を解決するため、以下の手段を採用した。
すなわち、本発明は、
扁平状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反
対側に突出する山形状とに切り替えることにより、前記リングを開閉する操作部と、を備え、
前記操作部は、前記ベース上に設けられたシーソー状の揺動レバーと、前記揺動レバーの基部から前記一対の回動板における対向部の裏面側に延びる略Ｌ字状の作用部とを有し、
前記揺動レバーの先端部を押し下げることにより、前記作用部によって前記一対の回動板における前記対向部が前記リング側に押し上げられ、前記一対の回動板が前記リング側に突出する山形状に形成されて、前記リングが開かれることを特徴とする。
【０００８】
本発明では、左右のリングに書類が入っていても、十分に開閉操作が可能な空間を確保することにより、操作部におけるシーソー状の揺動レバーの先端部を押し下げるだけで、リングを開閉できるので、リングに綴じられた書類などが邪魔になることなく、操作部を簡単に操作できる。また、とじ具本体の中央部に操作部が設けられているので、軽量且つ安価に製造できる。なお、リングの形状は、Ｄ型、円型、長円型など各種の形状とすることができる。
【０００９】
また、本発明は、
平板状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、
前記一対の回動板を前記リング側に付勢する第１のバネと、を備え、
前記操作部は、前記一対の回動板に係止され、且つ前記一対の回動板における対向部に沿ってスライド自在なスライドレバーと、前記スライドレバーを所定の方向に付勢する第２のバネと、前記第２のバネの付勢方向における前記スライドレバーのスライド限界位置で、前記スライドレバーが前記ベースに対して離間する方向へ移動するのを規制すると共に、前記スライドレバーのスライドを規制するストッパと、を備え、
前記スライドレバーを前記第２のバネの付勢方向と反対方向にスライドさせることにより、前記一対の回動板が前記第１のバネによって前記ベースから離間する方向に付勢されて、前記一対の回動板が前記リング側に突出する山形状に形成されて前記リングが開かれ、
前記スライドレバーを前記ベース側に押圧して、前記第２のバネにおける付勢方向の反対方向にスライドさせることにより、前記一対の回動板が平坦状に形成されると共に、前記スライドレバーが前記ストッパに係止されて、前記リングが閉じられることを特徴とする。
【００１０】
本発明では、左右のリングに書類が入っていても、十分に開閉操作が可能な空間を確保することにより、操作部におけるスライド自在なスライドレバーをスライドさせることにより、リングを開閉できるので、リングに綴じられた書類などが邪魔になることなく、操作部を簡単に操作できる。また、とじ具本体の中央部に操作部が設けられているので、軽量且つ安価に製造できる。
【００１１】
ここで、前記第１のバネと前記第２のバネが一体的に形成されていることが好ましい。
この場合は部品点数を低減して、コストダウンを図ることができる。
【００１２】
また、本発明は、
リング式とじ具を用いたファイルであって、
前記リング式とじ具は、
扁平状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、を備え、
前記操作部は、前記ベース上に設けられたシーソー状の揺動レバーと、前記揺動レバーの基部から前記一対の回動板における対向部の裏面側に延びる略Ｌ字状の作用部とを有し、
前記揺動レバーの先端部を押し下げることにより、前記作用部によって前記一対の回動板における前記対向部が前記リング側に押し上げられ、前記一対の回動板が前記リング側に突出する山形状に形成されて、前記リングが開かれることを特徴とする。
【００１３】
本発明では、リング式とじ具の操作部における搖動レバーを搖動させることにより、リングを簡単に開閉して、ファイル内に書類などを容易に綴じることができると共に、ファイル内の書類などを容易に取り外すことができる。
【００１４】
また、本発明は、
リング式とじ具を用いたファイルであって、
前記リング式とじ具は、
平板状に形成されファイルの表紙に取り付けられるベースと、
前記ベース上に配置されると共に、互いに接近し且つ平行に配置され、外側端部が前記ベースに回動自在に支持され、内側端部がヒンジで接合された一対の回動板と、
一端が前記一対の回動板に設けられた一対の半リングで構成され、前記一対の回動板が平坦状、又は前記ヒンジから曲げられ前記半リングの反対側に突出する山形状に形成されることにより、前記一対の半リングにおける先端部が接近して閉じられ、前記一対の回動板が前記ヒンジから曲げられ前記半リング側に突出する山形状に形成されることにより、前記一対の半リングにおける前記先端部が離間して開かれるリングと、
前記ベースの略中央に設けられ、前記一対の回動板を平坦状と前記半リングの反対側に突出する山形状とに切り替え、又は前記半リング側に突出する山形状と前記半リングの反対側に突出する山形状とに切り替えることにより、前記リングを開閉する操作部と、
前記一対の回動板を前記リング側に付勢する第１のバネと、を備え、
前記操作部は、前記一対の回動板に係止され、且つ前記一対の回動板における対向部に沿ってスライド自在なスライドレバーと、前記スライドレバーを所定の方向に付勢する第２のバネと、前記第２のバネの付勢方向における前記スライドレバーのスライド限界位置で、前記スライドレバーが前記ベースに対して離間する方向へ移動するのを規制すると共に、前記スライドレバーのスライドを規制するストッパと、を備え、
前記スライドレバーを前記第２のバネの付勢方向と反対方向にスライドさせることにより、前記一対の回動板が前記第１のバネによって前記ベースから離間する方向に付勢され
て、前記一対の回動板が前記リング側に突出する山形状に形成されて前記リングが開かれ、
前記スライドレバーを前記ベース側に押圧して、前記第２のバネにおける付勢方向の反対方向にスライドさせることにより、前記一対の回動板が平坦状に形成されると共に、前記スライドレバーが前記ストッパに係止されて、前記リングが閉じられることを特徴とする。
【００１５】
本発明では、リング式とじ具の操作部におけるスライドレバーをスライドさせることにより、リングを簡単に開閉して、ファイル内に書類などを容易に綴じることができると共に、ファイル内の書類などを容易に取り外すことができる。
【発明の効果】
【００１６】
本発明によれば、リング式とじ具の中央部に揺動レバー又はスライドレバーを有する操作部が、とじ具の左右のリングに書類が入っていても、操作部の両側に十分な開閉操作が可能な空間を確保するように設けられているので、揺動レバー又はスライドレバーを操作する際に、リングに綴じられた書類が邪魔になることなく操作でき、リングを簡単に開閉できる。また、操作部がリング式とじ具本体の中央部に設けられているので、とじ具本体を延長して操作部を設ける場合に比べて、軽量且つ安価に製造できる。
【００１７】
更に、一対の回動板を付勢する第１のバネと、スライドレバーを付勢する第２のバネを一体化した場合には、部品点数を削減してコストダウンが可能になる。
【発明を実施するための最良の形態】
【００１８】
以下、本発明の実施の形態を添付した図１から図２３に基づいて詳細に説明する。
〈第１の実施の形態〉
図１は、本発明に係る第１実施形態のリング式とじ具を用いたファイル１を示す。このリング式とじ具を用いたファイル１は、断面が略コ字状のファイル本体１１と、ファイル本体１１の内側に取り付けられ、ファイル本体１１内に挟まれた書類などを綴じるリング式とじ具１２とを有している。
【００１９】
ファイル本体１１は、長方形の表表紙１３及び裏表紙１４と、表表紙１３と裏表紙１４の一側端を連結する背表紙１５とを有している。リング式とじ具１２は、裏表紙１４の内面に取り付けられている。
【００２０】
このリング式とじ具１２は、図２及び図３に示すように、扁平状に形成されファイル本体１１の裏表紙１４に取り付けられるベース２０と、互いに近接し且つ平行に配置されると共に、外側端部２１ａ，２１ａがベース２０に回動自在に支持され、互いの対向部がヒンジ２２で接合された一対の回動板２１，２１と、一端２３ａ，２７ａが一対の回動板２１，２１に固定された一対の第１及び第２の半リング２３，２７を有するリング２４とを有している。第１及び第２の半リング２３,２７は、リングを略２分割した形状を有して
いる。
【００２１】
また、このリング式とじ具１２は、一対の回動板２１，２１がなす形状を、リング２４側に突出する山形状又はリング２４の反対側に突出する山形状に切り替えることにより、リング２４を開閉する操作部２５を有している。
【００２２】
次に、上記各構成要素について説明する。ベース２０は、図４に示すように、長尺な薄板が短手方向に湾曲形成されている。このように、ベース２０を湾曲形成することにより、ベース２０の短手方向に所定の弾性が付与されている。すなわち、ベース２０はバネとして作用している。
【００２３】
ベース２０の外周には、折り返し部２０ａが設けられている。この折り返し部２０ａ内には、一対の回動板２１，２１における外側端部２１ａ，２１ａが挿入されている。これにより、一対の回動板２１，２１が、外側端部２１ａ，２１ａを中心として、回動自在に支持されている。
【００２４】
また、一対の回動板２１，２１には、ベース２０の弾性力に基づく相手の回動板２１側への押圧力が作用している。これにより、一対の回動板２１,２１は、リング２４側に突
出する山形、又はリング２４の反対側に突出する山形の何れかの形状で保持される。図４は、一対の回動板２１,２１がリング２４の反対側に突出する山形で保持されている状態
を示している。
【００２５】
更に、ベース２０の長手方向の両端部には、図２に示すように、ファイル本体１１の背表紙１５に取り付けるための孔２０ｂ，２０ｂが設けられている。
【００２６】
一対の回動板２１，２１は、図３に示すように、略長方形状に形成されている。これらの回動板２１の両端部には、書類などを綴じるためのリング２４が設けられている。
【００２７】
また、回動板２１，２１の互いの対向部２１ｂ，２１ｂには、両方の回動板２１，２１に跨る細長い孔２６が設けられている。この孔２６には、操作部２５が挿入されている。
【００２８】
リング２４は、図４に示すように、一方の第１の半リング２３が略円弧状に形成され、他方の第２の半リング２７が略コ字状に形成されている。これにより、リング２４全体が略Ｄ型に形成されている。
【００２９】
一方の第１の半リング２３における先端部２３ｂには、図５に示すように、切り込み２３ｃが設けられている。また、他方の第２の半リング２７における先端部２７ｂには、一方の第１の半リング２３における切り込み２３ｃに挿入可能な突起２７ｃが設けられている。
【００３０】
リング２４が閉じられるときは、図２に示すように、一方の第１の半リング２３における切り込み２３ｃに、他方の第２の半リング２７における突起２７ｃが挿入される。これにより、第１の半リング２３，２７が互いに位置ズレすることなく、リング２４の閉鎖状態が確実に維持される。
【００３１】
リング２４が閉じられたときには、図３に示すように、一対の回動板２１，２１がヒンジ２２から曲げられて、リング２４の反対側に突出する山形になる。
【００３２】
また、リング２４が開かれたときには、図５に示すように、一対の回動板２１，２１がヒンジ２２から曲げられて、リング２４側に突出する山形になる。一対の回動板２１,２
１のなす山形は、ベース２０の弾性力に基づく相手の回動板２１側への付勢力によって保持される。
【００３３】
操作部２５は、図６に示すように、ベース２０を切り起こして支持部２８を形成し、この支持部２８にピン２８ａで回動自在に支持されるシーソー状の揺動レバー３０と、この揺動レバー３０の基部３０ａからベース２０の孔２６及び一対の回動板２１,２１の孔２
９を通して、一対の回動板２１，２１における互いの対向部２１ｂ，２１ｂの裏面側に延びる略Ｌ字状の作用部３１とを有している。
【００３４】
操作部２５の作用部３１には、図６及び図７に示すように、一対の回動板２１，２１の
ベース２０側の内面２１ｃに係止されるピン３１ａと、一対の回動板２１，２１のベース２０の反対側の表面２１ｄに係止される係止片３１ｂ，３１ｂとが設けられている。
【００３５】
図５に示すように、操作部２５の揺動レバー３０における先端部３０ｂが、一対の回動板２１，２１側に押し下げられると、操作部２５における作用部３１の係止片３１ｂ，３１ｂによって、一対の回動板２１，２１における対向部２１ｂ，２１ｂが押し上げられる。
【００３６】
これにより、一対の回動板２１，２１がヒンジ２２から曲げられて、リング２４側に突出する山形状になり、図８にも示すように、リング２４が開かれる。
【００３７】
また、図３に示すように、操作部２５における揺動レバー３０の基部３０ａ側が一対の回動板２１，２１側に押し下げられると、作用部３１のピン３１ａによって、一対の回動板２１，２１における対向部２１ｂ，２１ｂが、リング２４の反対側に押圧される。これにより、一対の回動板２１，２１がリング２４の反対側に突出する山形になり、リング２４が閉じられる。
【００３８】
このように、本発明に係る第１実施形態のリング式とじ具１２は、ベース２０の中央部に設けられた操作部２５の揺動レバー３０における基部３０ａ、又は先端部３０ｂを押すだけでリング２４を開閉できるので、操作が容易である。
【００３９】
また、揺動レバー３０は比較的細長く形成できるので、リング２４に比較的多くの書類が綴じられている場合でも、これらの書類などが操作の邪魔になることなく、確実に操作できる。
【００４０】
更に、操作部２５は、ベース２０の略中央に設けられているので、従来のようにリング式とじ具のベースを延長した延長部に操作部を設ける場合に比べて、軽量且つ安価に製造できる。
【００４１】
なお、本実施形態では、リング２４がＤ型の場合を例示したが、リングの形状は、Ｄ型に限らず、円型、長円型、四角型など各種の形状とすることができる。
【００４２】
〈第２の実施の形態〉
図９は、本発明に係る第２実施形態のリング式とじ具５を示す。なお、上記と同様な機能を有する部材には同一の符号を付けて、その詳細な説明を省略する。
【００４３】
このリング式とじ具５は、ファイル本体１１の背表紙１５に取り付けられる平板状のベース５０と、外側端部６１，６８がベース５０に回動自在に支持され、互いの対向部６２，６７がヒンジ７１で結合された一対の回動板５１，５１と、一端５３ａ，５７ａが一対の回動板５１，５１に取り付けられた一対の第１及び第２の半リング５３，５７によって構成されるリング５４とを有している。
【００４４】
また、このリング式とじ具５は、一対の回動板５１，５１がなす形状を平坦状又は山形に切り替えることにより、リング５４を開閉する操作部５５を有している。本実施形態では、リング５４が長円型に形成されている。また、本実施形態では、リング５４がファイル１の背表紙１５に取り付けられている。
【００４５】
ベース５０は、図１０に示すように、長方形状に形成されている。このベース５０の両側端部７５，７６には、片側につき２個の軸受け７７，７８が設けられている。これらの軸受け７７，７８は、ベース５０の長手方向に延びる筒状に形成されている。
【００４６】
ベース５０の表面５０ａには、ベース５０の短手方向に並列配置された一対のストッパ５６，５６が、所定の間隔をあけて設けられている。これらのストッパ５６，５６の互いの対向面には、係止片５６ａ，５６ａが突出形成されている。
【００４７】
一対の回動板５１，５１は、図１１及び図１２に示すように、ベース５０の略半分の幅を有している。図１１に示すように、一方の回動板５１の長手方向における両端部には、一方の第１の半リング５３における一端５３ａが取り付けられている。
【００４８】
また、図１２に示すように、他方の回動板５１の長手方向における両端部には、他方の第２の半リング５７における一端５７ａが取り付けられている。
【００４９】
また、図１１に示すように、一方の回動板５１における第１の半リング５３の開口５３ｂと反対側の外側端部６１には、３個の軸受け６５が設けられている。また、一方の回動板５１における第１の半リング５３における開口５３ｂ側の内側端部６２には、２個の軸受け６６が設けられている。これらの軸受け６５，６６は、回動板５１の長手方向に伸びる円筒状に形成されている。
【００５０】
図１２に示すように、他方の回動板５１における第２の半リング５７の開口５７ｂ側の内側端部６４には、４個の軸受け６７が設けられている。この回動板５１の開口５７ｂと反対側の内側端部６３には、３個の軸受け６８が設けられている。これらの軸受け６７，６８は円筒状に形成されている。
【００５１】
また、一対の回動板５１，５１の第１及び第２の半リング５３，５７における開口５３ｂ，５７ｂ側の外側端部６２，６４には、それぞれ回動板５１，５１の略中央に位置する凹部６９，７０が設けられている。
【００５２】
一対の回動板５１，５１は、図１３に示すように、第１及び第２の半リング５３，５７における開口５３ｂ，５７ｂ側の内側端部６２，６４を対向させて配置され、これらの内側端部６２，６４の軸受け６６，６７に挿入された軸７１によって、互いに回動自在に連結されている。
【００５３】
また、一対の回動板５１，５１は、第１及び第２の半リング５３，５７における開口５３ｂ，５７ｂの反対側の外側端部６１，６３に設けられた軸受６５，６８と、ベース５０の両外側端部７５，７６に設けられた軸受け７７，７８とを貫通して挿入された軸７９，８０を中心として、ベース５０に対して回動自在に取り付けられている。
【００５４】
図９に示すように、一対の回動板５１，５１の互いの対向部５１ｂ，５１ｂには、回動板５１，５１の凹部６９，７０（片側のみ図示）によって形成される開口５９が設けられている。
【００５５】
この開口５９内には、操作部５５のスライドレバー８０（図１４参照）における下端部が挿入されている。このスライドレバー８０の下端部には、図１４に示すように、軸受け８２が設けられている。
【００５６】
軸受け８２の側面には、スライドレバー８０の長手方向に延びる所定長さの係止用凹溝８３が設けられている（片側のみ図示）。スライドレバー８０の軸受け８２は、一対の回動板５１，５１における開口５９内に挿入されている。
【００５７】
図９に示すように、開口５９内に挿入されたスライドレバー８０の軸受け８２には、一
対の回動板５１，５１における対向部である内側端部６２，６４を連結する軸７１が挿入されている。これにより、スライドレバー８０が、回動板５１，５１の長手方向にスライド可能に取り付けられている。
【００５８】
また、軸７１には、図１５に示すように、スライドレバー８０と開口５９の内周面との間に配置された第１のバネであるコイルバネ８５が挿入されている。このコイルバネ８５によって、スライドレバー８０がＹ１方向に付勢されている。
【００５９】
図１３に示すように、スライドレバー８０がＹ１方向の移動限界位置Ｐ１までスライドすると、一対の回動板５１，５１が平坦状になり、リング５４，５４が閉じられる。
【００６０】
また、スライドレバー８０が、Ｙ１方向の移動限界位置Ｐ１に配置され、リング５４が閉じられたときには、図１６及び図２０に示すように、スライドレバー８０の凹溝８３，８３に、ベース５０のストッパ５６，５６における係止片５６ａ，５６ａが嵌め込まれる。
【００６１】
これによって、操作部５５がベース５０から離間する方向への上昇移動が規制され、一対の回動板５１，５１が平坦状のまま保持される。
【００６２】
また、このときには、次に説明するように、一対の回動板５１，５１がねじりバネ８６（図９参照）によってベース５０から離間する方向に付勢されており、この付勢力でスライドレバー８０がストッパ５６の係止片５６ａ側に押圧される。
【００６３】
また、図１５に示すように、スライドレバー８０が、Ｙ１方向の反対方向であるＹ２方向の移動限界位置Ｐ２までスライドすると、凹溝８３から係止片５６ａが外れ、ねじりバネ８６によってベース５０から離間する方向に付勢され、一対の回動板５１，５１がリング５４側に突出する山形になる。これにより、リング５４，５４が開かれる。
【００６４】
ベース５０と一対の回動板５１，５１との間には、図９に示すように、第２のバネであるねじりバネ８６が配置されている。このねじりバネ８６は、図１７に示すように、コ字状部８６ａと、コ字状部８６ａの両端からコ字状部８６ａに対して適宜な角度で立体的に曲げられたＬ字状部８６ｂ，８６ｂを有している。
【００６５】
このねじりバネ８６は、そのＬ字状部８６ｂ，８６ｂがベース５０の表面５０ａ上にに載置される。そして、ねじりバネ８６のコ字状部８６ａによって、一対の回動板５１，５１にベース５０から離間する方向への付勢力が作用する。
【００６６】
なお、ねじりバネ８６は、コ字状部８６ａをベース５０の表面５０ａ上に載置し、Ｌ字状部８６ｂ，８６ｂによって一対の回動板５１，５１が押し上げられるようにしても良い。
【００６７】
図１８及び図１９に示すように、操作部５５のスライドレバー８０がＹ２方向の移動限界位置Ｐ２に配置された際に、凹溝８３から係止片５６ａが外れ、一対の回動板５１，５１がねじりバネ８６によってベース５０から離間する方向に付勢されて押し上げられる。
【００６８】
これにより、一対の回動板５１，５１がリング５４側に突出する山形となり、リング５４が開かれる。
【００６９】
図９に示すように、リング５４が閉じられている状態では、操作部５５のスライドレバー８０が、Ｙ１方向の移動限界位置Ｐ１に配置されている。
【００７０】
このとき、スライドレバー８０は、図２０に示すように、コイルバネ８５の付勢力によってＹ１方向の移動限界位置Ｐ１に保持されると共に、ストッパ５６によって上下方向の移動が規制されている（図１６参照）。これにより、リング５４が不用意に開かれるのを抑制できる。なお、図２０は、一対の回動板５１，５１を省略して示している。
【００７１】
リング５４が閉じられている状態からリング５４を開く際には、スライドレバー８０にコイルバネ８５の付勢力以上の力を加えてＹ２方向にスライドさせる。これにより、図２１に示すように、スライドレバー８０がストッパ５６から外れて上下方向の位置規制が解除され、一対の回動板５１，５１における互いの対向部である内側端部６２，６４が、ねじりバネ８６によってベース５０から離間する方向に押し上げられる。
【００７２】
これにより、図１８に示すように、一対の回動板５１，５１がリング５４側に突出する山形となり、リング５４が開かれる。このときには、スライドレバー８０のＹ１方向へのスライドが、一対の回動板５１，５１に設けられたストッパ（図示せず）によって規制される。
【００７３】
また、リング５４が開かれている状態から、リング５４を閉じるときには、まずスライドレバー８０をベース５０側に押し下げる。これにより、一対の回動板５１，５１が山形から平坦状になり、リング５４が閉じられる。
【００７４】
次に、スライドレバー８０を押し下げたまま、Ｙ１方向にスライドさせる。これにより、スライドレバー８０がストッパ５６，５６に係止される。このときには、ねじりバネ８６の弾性復元力が一対の回動板５１，５１及び軸７１を介して、スライドレバー８０を押し上げる方向に作用する。
【００７５】
この押し上げ力によって、スライドレバー８０がストッパ５６，５６の係止片５６ａ，５６ａ側に押圧されるので、スライドレバー８０がＹ２方向に不用意にスライドするのを抑制し、リング５４が不用意に開かれるのを抑制できる。
【００７６】
このように、本発明のリング式とじ具５は、ベース５０の略中央に設けられた操作部５５のスライドレバー８０をスライドさせるだけで、リング５４を開閉できるので、操作が容易である。
【００７７】
また、スライドレバー８０は比較的細長く形成されているので、リング５４に綴じられている書類などが操作の邪魔になることなく、確実に操作できる。
【００７８】
更に、操作部５５は、上記のようにベース５０の略中央に設けられているので、従来のように綴じ具を延長した延長部に操作部を設ける場合に比べて、軽量且つ安価に製造できる。
【００７９】
なお、上記の実施形態では、操作部５５のスライドレバー８０をＹ１方向に付勢するコイルバネ８５と、一対の回動板５１，５１をベース５０から離間する方向に付勢するねじりバネ８６の２種類のバネを使用したが、これらのバネを一体化することができる。
【００８０】
図２２は、コイルバネとねじりバネを一体化したバネ９０を示す。このバネ９０は、コイルバネ部９１と、その両端から延びるねじりバネ部９２とを有している。
【００８１】
コイルバネ部９１は、通常のねじりバネと同様である。ねじりバネ部９２は、コイルバネ部９１の先端に設けられた長辺部９２ａと、長辺部９２ａの先端から側方に延びる短辺
部９２ｂによって略Ｌ次状に形成されている。両方のねじりバネ部９２，９２の短辺部９２ｂ，９２ｂは、互いに反対方向に延びている。
【００８２】
このバネ９０は、図２３に示すように、軸７１に挿入され、ベース５０と、一対の回動板５１,５１間に配置される。そして、バネ９０のコイルバネ部９１によってスライドレ
バー８０にスライド方向の付勢力が加えられ、ねじりバネ部９２，９２によって一対の回動板５１,５１に、ベース５０から離間する方向の付勢力が加えられる。なお、図２３は
、一対の回動板５１，５１を省略して示す。
【００８３】
このように、コイルバネとねじりバネを一体化することにより、部品点数を削減することができる。また、各構成部品を一体成型することにより、更に部品点数を削減してコストダウンを図ることができる。
【図面の簡単な説明】
【００８４】
【図１】本発明に係る第１実施形態のリング式とじ具を用いたファイルを開いた状態で示す斜視図である。
【図２】本発明に係る第１実施形態のリング式とじ具を示す斜視図である。
【図３】本発明に係る第１実施形態のリング式とじ具をベースのない状態で示す斜視図である。
【図４】本発明に係る第１実施形態のベース及び一対の回動板を示す図であり、図２のＡ−Ａ断面図である。
【図５】本発明に係る第１実施形態のリング式とじ具におけるリングの開いた状態を示す斜視図である。
【図６】本発明に係る第１実施形態の操作部を示す図であり、図４のＢ−Ｂ断面図である。
【図７】本発明に係る第１実施形態の操作部を示す図であり、図６のＣ矢視図である。
【図８】本発明に係る第１実施形態のリング式とじ具を示す図であり、リングを開いた状態を示す斜視図である。
【図９】本発明に係る第２実施形態のリング式とじ具を用いたファイルを示す斜視図である。
【図１０】本発明に係る第２実施形態のリング式とじ具におけるベースを示す斜視図である。
【図１１】本発明に係る第２実施形態の一対の回動板における一方の回動板を示す斜視図である。
【図１２】本発明に係る第２実施形態の一対の回動板における他方の回動板を示す斜視図である。
【図１３】本発明に係る第２実施形態の一対の回動板が平坦状を形成している状態を示す斜視図である。
【図１４】本発明に係る第２実施形態の操作部を示す斜視図である。
【図１５】本発明に係る第２実施形態のリングが開いている状態を示す斜視図である。
【図１６】本発明に係る第２実施形態の操作部及びストッパを示す図であり、図９のＤ−Ｄ断面図である。
【図１７】本発明に係る第２実施形態のねじりバネを示す斜視図である。
【図１８】本発明に係る第２実施形態のリング式とじ具のねじりバネの位置を示す斜視図である。
【図１９】本発明に係る第２実施形態のねじりバネの作用を説明する図であり、図１８のＥ−Ｅ断面図である。
【図２０】本発明に係る第２実施形態の操作部におけるスライドレバーがストッパによって停止されている状態を示す斜視図である
【図２１】本発明に係る第２実施形態の操作部におけるスライドレバーがストッパから外れた状態を示す斜視図である。
【図２２】本発明に係る第２実施形態のコイルバネとねじりバネを一体化したバネを示す斜視図である。
【図２３】本発明に係る第２実施形態のコイルバネとねじりバネを一体化したバネの配置を示す斜視図である。
【符号の説明】
【００８５】
１  リング式とじ具を用いたファイル
５，１２  リング式とじ具
１１  ファイル本体
１３  ファイルの表表紙
１４  ファイルの裏表紙
１５  ファイルの背表紙
２０  ベース
２０ａ  ベースの側端部
２０ｂ  孔
２１  回動板
２１ａ  回動板の外側端部
２２  ヒンジ
２３  第１の半リング
２３ａ  第１の半リングの  一端
２３ｂ  第１の半リグの先端部
２３ｃ  切り込み
２４  リング
２５  操作部
２６  孔
２７  第２の半リング
２７ａ  第２の半リングの一端
２７ｂ  第２の半リングの先端部
２７ｃ  突起
２８  支持部
２８ａ  ピン
２９  孔
３０  揺動レバー
３０ａ  揺動レバーの基部
３０ｂ  揺動レバーの先端部
３１  揺動レバーの作用部
３１ａ  ピン
３１ｂ  係止片
５０  ベース
５０ａ  ベースの表面
５１  回動板
５１ａ  回動板の外側端部
５２  ヒンジ
５３  第１の半リング
５３ａ  第１の半リングの一端
５３ｂ  第１の半リングの開口
５４  リング
５５  操作部
５６  ストッパ
５６ａ  ストッパの係止片
５７  第２の半リング
５７ａ  第２の半リグの一端
５７ｂ  第２の半リングの開口
５８  軸
５９  一対の回動板の開口
６１，６３  外側端部
６２，６４  内側端部
６５，６６，６７，６８  軸受け
６９  凹部
７１，７９  軸
７５，７６  側端部
７７，７８，７９  軸受け
８０  スライドレバー
８１  スライドレバーの操作部
８２  スライドレバーの軸受け
８３  スライドレバーの凹溝
８５  コイルバネ
８６  ねじりバネ
８６ａ  ねじりバネのコ字状部
８６ｂ  ねじりバネのＬ字状部
９０  コイルバネとねじりバネを一体化したバネ
９１  コイルバネ部
９２  ねじりバネ部
９２ａ  ねじりバネ部の長辺部
９２ｂ  ねじりバネ部の短辺部
【図１】
2008093979.tif 000003
【図２】
2008093979.tif 000004
【図３】
2008093979.tif 000005
【図４】
2008093979.tif 000006
【図５】
2008093979.tif 000007
【図６】
2008093979.tif 000008
【図７】
2008093979.tif 000009
【図８】
2008093979.tif 000010
【図９】
2008093979.tif 000011
【図１０】
2008093979.tif 000012
【図１１】
2008093979.tif 000013
【図１２】
2008093979.tif 000014
【図１３】
2008093979.tif 000015
【図１４】
2008093979.tif 000016
【図１５】
2008093979.tif 000017
【図１６】
2008093979.tif 000018
【図１７】
2008093979.tif 000019
【図１８】
2008093979.tif 000020
【図１９】
2008093979.tif 000021
【図２０】
2008093979.tif 000022
【図２１】
2008093979.tif 000023
【図２２】
2008093979.tif 000024
【図２３】
2008093979.tif 000025